(57)【要約】【課題】間仕切パネルの下部の構造を小型化することにより、透光パネル部材を備えた間仕切パネルの空間的な開放感を十分に演出できる移動間仕切装置を提供する。【解決手段】  天井に設けられる誘導路３に吊支部材９，９を介して吊支され、誘導路３に沿って移動可能であり、透光パネル部材４を備えた複数の間仕切パネル１，１，…を連接させて空間を仕切る移動間仕切装置１０であって、間仕切パネル１は、透光パネル部材４の上下方向に延び、透光パネル部材４の側端縁に沿って配置される一対の縦杆部材７，７と、一対の縦杆部材７，７の下端部を接続する下部横杆部材８と、下部横杆部材８と床との間を塞ぐ下部閉塞部材１２と、下部閉塞部材１２を床に向けて押し付ける進退機構８４とを備え、下部横杆部材８には側面視下向きに開放する開口部８５が形成されており、下部横杆部材８の開口部８５には下部閉塞部材１２と、進退機構８４と、が全部または一部収納されている。【選択図】図１
2019218691.tif 000002
【特許請求の範囲】
【請求項１】
天井に設けられる誘導路に吊支部材を介して吊支され、前記誘導路に沿って移動可能であり、透光パネル部材を備えた複数の間仕切パネルを連接させて空間を仕切る移動間仕切装置であって、
前記間仕切パネルは、前記透光パネル部材の上下方向に延び、該透光パネル部材の側端縁に沿って配置される一対の縦杆部材と、前記一対の縦杆部材の下端部を接続する下部横杆部材と、前記下部横杆部材と床との間を塞ぐ下部閉塞部材と、前記下部閉塞部材を床に向けて押し付ける進退機構とを備え、
前記下部横杆部材には側面視下向きに開放する開口部が形成されており、前記下部横杆部材の前記開口部には前記下部閉塞部材と、前記進退機構と、が全部または一部収納されていることを特徴とする移動間仕切装置。
【請求項２】
前記透光パネル部材は、その下端部が前記下部横杆部材に重なる位置で配設されていることを特徴とする請求項１に記載の移動間仕切装置。
【請求項３】
前記下部横杆部材は、前記透光パネル部材の下端部に沿って正面側に延出する延出部を有することを特徴とする請求項２に記載の移動間仕切装置。
【請求項４】
前記下部横杆部材は、その奥部が開口部方向に肉厚になるように下方に向けて突出した突出部を有し、前記一対の縦杆部材の下端部は該突出部に対して前記下部横杆部材の長手方向に延びる固定手段で固定されていることを特徴とする請求項１ないし３のいずれかに記載の移動間仕切装置。
【請求項５】
前記下部横杆部材は、前記下部閉塞部材と前記進退機構を介して連結されていることを特徴とする請求項１ないし４のいずれかに記載の移動間仕切装置。
【発明の詳細な説明】
【技術分野】
【０００１】
本発明は、オフィス、会議室、ショールーム、店舗等の室内を所定の区画に仕切って使用するための移動間仕切装置に関する。
【背景技術】
【０００２】
オフィス、会議室、ショールーム、店舗等の室内は、天井に設けられたレールに吊支され、該レールに沿って移動可能な間仕切パネルを連接して所定の区画に仕切って、所望の小区画のレイアウトを実現している。このような間仕切パネルにあっては、連接された際に室内が天井から床にわたって仕切られ閉塞感を与えることがあるため、間仕切パネルを構成するパネル材にガラス板等の透光パネル部材を用いて室内空間に開放感を演出するものが知られている（特許文献１参照）。
【０００３】
特許文献１に示される移動パネル（間仕切パネル）は、左右一対の側枠杆の上下にアルミ押し出し型材の上枠杆と下枠杆とでフレームを形成し、該フレームで透明なパネル板（透光パネル部材）の周囲を保持している。さらに移動パネルは、下枠杆の下方にリフト機構が配置されており、リフト機構を操作して床面に圧接させることで、移動パネルの姿勢を安定に維持することができる。
【先行技術文献】
【特許文献】
【０００４】
【特許文献１】特開２００８−２０６１号公報（第７，８頁、第７，８（ａ）図）
【発明の概要】
【発明が解決しようとする課題】
【０００５】
しかしながら、特許文献１に示される移動パネルは、下枠杆の下方にリフト機構が配置されていることから、フレームの下部が上下方向に長寸となっており、移動パネルにおける床との近傍には透明なパネル板が配置されず、空間的な開放感を十分に演出できない虞がある。
【０００６】
本発明は、間仕切パネルの下部の構造を小型化することにより、透光パネル部材を備えた間仕切パネルの空間的な開放感を十分に演出できる移動間仕切装置を提供することを目的とする。
【課題を解決するための手段】
【０００７】
前記課題を解決するために、本発明の移動間仕切装置は、
天井に設けられる誘導路に吊支部材を介して吊支され、前記誘導路に沿って移動可能であり、透光パネル部材を備えた複数の間仕切パネルを連接させて空間を仕切る移動間仕切装置であって、
前記間仕切パネルは、前記透光パネル部材の上下方向に延び、該透光パネル部材の側端縁に沿って配置される一対の縦杆部材と、前記一対の縦杆部材の下端部を接続する下部横杆部材と、前記下部横杆部材と床との間を塞ぐ下部閉塞部材と、前記下部閉塞部材を床に向けて押し付ける進退機構とを備え、
前記下部横杆部材には側面視下向きに開放する開口部が形成されており、前記下部横杆部材の前記開口部には前記下部閉塞部材と、前記進退機構と、が全部または一部収納されていることを特徴としている。
この特徴によれば、下部横杆部材の開口部には下部閉塞部材と進退機構とが全部または一部収納されていることから、間仕切パネルの下部に位置する下部横杆部材と下部閉塞部材との占める高さ方向の領域が抑えられるため、間仕切パネルにおける透光パネル部材の下方における占有面積の割合を増やすことができ、空間的な開放感を十分に演出することができる。
【０００８】
前記透光パネル部材は、その下端部が前記下部横杆部材に重なる位置で配設されていることを特徴としている。
この特徴によれば、透光パネル部材の下端部は下部横杆部材に重なる位置で配設されている、すなわち透光パネル部材は下部横杆部材に正面視において重なっていることから、透光パネル部材を大きく見せることができる。
【０００９】
前記下部横杆部材は、前記透光パネル部材の下端部に沿って正面側に延出する延出部を有することを特徴としている。
この特徴によれば、下部横杆部材の延出部が透光パネル部材の下端部に沿って配置されていることから、透光パネル部材の下端部を保護することができる。
【００１０】
前記下部横杆部材は、その奥部が開口部方向に肉厚になるように下方に向けて突出した突出部を有し、前記一対の縦杆部材の下端部は該突出部に対して前記下部横杆部材の長手方向に延びる固定手段で固定されていることを特徴としている。
この特徴によれば、下部横杆部材と一対の縦杆部材とが縦勝ち構造をなしつつ、一対の縦杆部材の下端部が下部横杆部材の突出部に対して固定手段で固定されていることにより、間仕切パネルの支持強度を保持しながら、下部横杆部材の上下寸法を抑えることができる。
【００１１】
前記下部横杆部材は、前記下部閉塞部材と前記進退機構を介して連結されていることを特徴としている。
この特徴によれば、横杆部材が閉塞部材と進退機構を介して連結されているため、間仕切パネルの下部の構造を小型化できる。
【図面の簡単な説明】
【００１２】
【図１】本発明の実施例１における移動間仕切装置を示す正面図である。
【図２】実施例１における間仕切パネルの構造を示す分解斜視図である。
【図３】実施例１における上部閉塞部材および下部閉塞部材の収納状態を示す縦断面図である。
【図４】実施例１における上部閉塞部材および下部閉塞部材の閉塞状態を示す縦断面図である。
【図５】実施例１における上部フレームと縦フレームとの連結構造を拡大して示した分解斜視図である。
【図６】実施例１における下部フレームと縦フレームとの連結構造を拡大して示した分解斜視図である。
【図７】実施例１における縦フレームによるガラスパネルの支持構造を示す上面視における断面図である。
【図８】実施例１における間仕切パネル下部の各寸法を拡大して示した縦断面図である。
【図９】本発明の実施例２における移動間仕切装置を示す斜視図である。
【発明を実施するための形態】
【００１３】
本発明に係る移動間仕切装置を実施するための形態を実施例に基づいて以下に説明する。
【実施例１】
【００１４】
実施例１に係る間仕切パネルにつき、図１から図８を参照して説明する。以下、図１の紙面手前側および図３の紙面右側を移動間仕切装置の前方側とし、その前方側から見たときの上下左右方向を基準として説明する。
【００１５】
間仕切パネル１は、例えば、オフィス、会議室、ショールーム、店舗等の建物内の室内を所定の区画に仕切るために用いられるものであり、図１に示されるように、本実施例では、複数の間仕切パネル１，１，…を組み合わせて移動間仕切装置１０を構成している。
【００１６】
移動間仕切装置１０は、室内空間の天井面Ｒに設けられるレール３（誘導路）に沿って移動可能な一対の吊支部材９，９により上端が吊支される複数の間仕切パネル１，１，…から主に構成され、間仕切パネル１，１，…をレール３に沿って所定の位置まで手動で順次移動させ、間仕切パネル１，１，…を左右方向（進行方向）に一列に連接させることができるとともに、後述する上部閉塞部材１１および下部閉塞部材１２がレール３および床面Ｆに向けて押し付けられることにより天井面Ｒから床面Ｆにわたって室内空間を仕切ることができるようになっている。
【００１７】
図２に示されるように、間仕切パネル１は、前後に間隔をおいて対向配置される一対のガラスパネル４，４（透光パネル部材）と、ガラスパネル４，４を一体に保持する四方枠形状の枠部材５（上部フレーム６、縦フレーム７，７（縦杆部材）および下部フレーム８（下部横杆部材））と、上部フレーム６および下部フレーム８に収納される上部閉塞部材１１および下部閉塞部材１２と、上部閉塞部材１１および下部閉塞部材１２を進退動作させる上部進退機構６４および下部進退機構８４（進退機構）（図３，４）と、から主に構成される二重ガラスパネル構造をなし、パネル材として透明のガラスパネル４が使用されることにより、間仕切パネル１によって仕切られる室内空間の開放感を演出することができるとともに、強度や遮音性に優れている。なお、本実施例では、ガラスパネル４，４と枠部材５とが一体化されてパネル本体２０を構成しており、上部閉塞部材１１または下部閉塞部材１２とそれぞれに対応する各進退機構とが収納されている。さらになお、図３，４にて簡略表記した上部進退機構６４および下部進退機構８４は、捻りコイルバネ６４ａ，８４ａにより構成されており、捻りコイルバネ６４ａ，８４ａの一端は上部フレーム６および下部フレーム８に、他端を上部閉塞部材１１および下部閉塞部材１２に固定されている。なお、上部進退機構６４および下部進退機構８４は、捻りコイルバネ６４ａ，８４ａにリンク部材を組み合わせ構成してもよい。
【００１８】
枠部材５の構造について説明する。図２に示されるように、縦フレーム７は、間仕切パネル１の上下方向に延びる芯部材７１が前後面において上下方向に延びる被覆部材７０に被覆されて構成され、左右方向に厚みを有する板状をなし、ガラスパネル４，４の間に配設されている。被覆部材７０は、アルミ合金等の金属製の押出成形品であり、芯部材７１は、左右方向に厚みを有する鋼製の板材である。
【００１９】
連結構造の詳細は後述するが、枠部材５は、剛性の高い鋼製の上部芯部材６３と芯部材７１とがＬ字状に連結されることにより、上部フレーム６と縦フレーム７との連結構造の構造強度を確保し、縦フレーム７，７により固着されるガラスパネル４，４の荷重を上部芯部材６３，６３および芯部材７１，７１により支持している。
【００２０】
また、縦フレーム７，７の左または右側部には、それぞれ側部カバー部材７６，７７が取付けられている。隣接した間仕切パネル１，１が左右方向に連設される際には、側部カバー部材７６，７７同士が直接接触するため、ガラスパネル４，４の左右両側端面を保護できるようになっている。なお、左側の側部カバー部材７６は、右側に凹む凹嵌合部７６ａが形成されており、右側の側部カバー部材７７は、凹嵌合部７６ａに嵌合可能な形状の凸嵌合部７７ａが形成されている。また、側部カバー部材７６の保持溝７６ｈ，７６ｈにはゴム等の弾性部材７６ｆ（図７参照）が設けられており、隣接した間仕切パネル１，１が左右方向に連設される際には、側部カバー部材７６の凹嵌合部７６ａと側部カバー部材７７の凸嵌合部７７ａと嵌合により該弾性部材７６ｆが圧接されて、隣接する間仕切パネル１，１間における密閉性および遮音性が高められている。
【００２１】
図３を参照し、下部フレーム８は、アルミ合金等の金属製の押出成形品であり、上面側の前後に長手方向に沿って凹溝部８１，８１が形成されており、下面側の前後略中央部に長手方向に沿って設けられる下部チャンネル部８２を備えている。凹溝部８１，８１は、側面視上向きコ字状をなし、ガラスパネル４，４の下端部を下方から嵌合している。下部チャンネル部８２は、側面視下向き略コ字状をなし、その奥部が下方側に肉厚になるように下方に向けて突出した突出部８２ａを有しており、側面視上向き略コ字状の下部閉塞部材１２を入れ子状に下部進退機構８４を収納している。また、開口部８５は、突出部８２ａと、後述する内垂下板８１Ａ，８１Ａ（図８参照）と、により区画された空間であって、側面視下向きに開放するように形成されており、側面視凹字状をなす。なお、上部フレーム６についても上下対称に同様であり、説明を省略する。
【００２２】
図１に戻って、上部閉塞部材１１は、上部フレーム６の上部チャンネル部６２に収納された状態において、パネル本体２０よりも左側（間仕切り位置への進行方向）に向かって左端部（先端部）が突出している。下部閉塞部材１２も同様に、下部チャンネル部８２に収納された状態において、パネル本体２０よりも左側（間仕切り位置への進行方向）に向かって左端部（先端部）が突出している。
【００２３】
図３および図４に示されるように、上部閉塞部材１１および下部閉塞部材１２は、レール３および床面Ｆに対して進退動作するようになっている。また、上部閉塞部材１１の上面側の前後および下部閉塞部材１２の下面側の前後には、長手方向（左右方向）に沿って延びるゴム製等のシール部材１４が固着されており、特に図４に示されるように、上部閉塞部材１１および下部閉塞部材１２がレール３および床面Ｆに近づく方向に延出した状態にあっては、シール部材１４がそれぞれ上部閉塞部材１１および下部閉塞部材１２とレール３の下面および床面Ｆとの間で圧接され、密閉性および遮音性が高められる。
【００２４】
次に、ガラスパネル４，４と枠部材５との接続について図５〜図７に基づいて説明する。ガラスパネル４，４と縦フレーム７の被覆部材７０，７０とは、２条の透明な両面テープ７５，７５により固着されている（図７参照）。具体的には、図７に示されるように、被覆部材７０，７０の支持面７０ａ，７０ｂには、ガラスパネル４，４側に突出する２つの凸条部７２，７２がそれぞれ設けられており、それぞれの凸条部７２の突出側先端面７２ａには、上下方向に沿って両面テープ７５，７５が貼付されて、両面テープ７５，７５の他方の面はガラスパネル４，４の対向面４ａ，４ａに貼付され、ガラスパネル４，４と縦フレーム７とが固着されている。なお、ガラスパネル４，４の上下両端部は、被覆部材７０よりも上下に突出している。
【００２５】
また、被覆部材７０により被覆される芯部材７１は、板状をなし、被覆部材７０よりも上下方向に長尺に構成され、その上下両端部が被覆部材７０よりも上下に突出している（図５および６参照）。上部フレーム６には、左右両端がそれぞれ左右両端から左右方向に所定範囲切り欠かれた切欠部６ｂ，６ｃが形成されており、上面視Ｈ字状をなしている（図２参照）。芯部材７１の上端部は、上部フレーム６の上部チャンネル部６２（図３参照）よりも前後方向の寸法が小さく形成されており、上部フレーム６の前後方向略中央かつ上部フレーム６の長手方向内側に挿入された状態で、上部フレーム６の突出部６２ａに対して該上部フレーム６の長手方向に延びる一対のネジ１３，１３で固定されている（図５参照）。
【００２６】
さらに、図５に示されるように、鋼製の上部芯部材６３は、上部フレーム６の長手方向に沿って形成される溝６ｄに挿入され、該上部フレーム６に対して固定されており、上方から上部閉塞部材１１を介して吊支部材９が接続されている。また、芯部材７１の上端部は、当該上端部の外側を覆う上面視略コ字状の上部カバー７８とともに、上部フレーム６の長手方向に延びるネジ１５で上部芯部材６３に対して固定されている。
【００２７】
また、下部フレーム８には、左右両端がそれぞれ左右両端から左右方向に所定範囲切り欠かれた切欠部８ｂ，８ｃが形成されており、上面視Ｈ字状をなしている（図２参照）。芯部材７１の下端部は、下部フレーム８の下部チャンネル部８２（図３参照）よりも前後方向の寸法が小さく形成されており、下部フレーム８の前後方向略中央かつ下部フレーム８の長手方向内側に挿入した状態で、下部フレーム８の突出部８２ａに対して該下部フレーム８の長手方向に延びる一対のネジ１８，１８で固定されている（図６参照）。
【００２８】
さらに、図６に示されるように、鋼製の下部芯部材８３は、下部フレーム８の長手方向に沿って形成される溝８ｄに挿入され、該下部フレーム８に対して固定されている。また、芯部材７１の下端部は、当該下端部の外側を覆う上面視略コ字状の下部カバー７９とともに、下部フレーム８の長手方向に延びるネジ１９で下部芯部材８３に対して固定されている。
【００２９】
さらに、図８を参照して、下部フレーム８の前方の凹溝部８１は、下部フレーム８の前端から下方に向けて所定の長さに延びる内垂下板８１Ａと、内垂下板８１Ａ上下方向の略中央から前方に延びる凹溝の底に位置する底面板８１Ｂ（延出部）と、底面板８１Ｂ前端から上下方に延びる外垂下板８１Ｃと、により構成されている（後方の凹溝部８１も前後対称に同様であり、説明を省略する）。ガラスパネル４の下端部が凹溝部８１に嵌入されることにより、ガラスパネル４の下端部が底面板８１Ｂによって保護されるばかりか、内垂下板８１Ａおよび外垂下板８１Ｃによってガラスパネル４の前後への移動を規制することができる。なお、外垂下板８１Ｃは配置されていることが好ましいが、必ずしも配置される必要はない。
【００３０】
また、下部フレーム８の下部チャンネル部８２には、突出部８２ａと内垂下板８１Ａと上端部８２ｃとによって側面視下向きコ字状のスリット８２ｂ，８２ｂが形成されており、下部閉塞部材１２上端が嵌入できるようになっている。ガラスパネル４，４の下端や底面板８１Ｂよりもスリット８２ｂ，８２ｂの上端は上方に位置するから、下部閉塞部材１２に下部フレーム８を収納した状態の上下寸法を小さくすることができる。
【００３１】
また、下部フレーム８の下部チャンネル部８２における上端部８２ｃは平面であり、その高さは凹溝部８１の外垂下板８１Ｃ上端の高さと略同一である。このことにより、上端部８２ｃと外垂下板８１Ｃ上端との高さが統一され、間仕切パネル１の見栄えをよくすることができる。
【００３２】
さらに、閉塞状態において、シール部材１４から凹溝部８１の外垂下板８１Ｃ上端までの高さＬ１は、ガラスパネル４，４間の前後幅Ｌ２よりも小さくなっている（Ｌ１＜Ｌ２）ことから、間仕切パネル１におけるガラスパネル４の下方における占有面積の割合を増やすことができる。また、凹溝部８１の底面板８１Ｂ上端から外垂下板８１Ｃ上端までの高さＬ３は、ガラスパネル４の前後の厚さＬ４の２倍の長さよりも小さく（Ｌ３＜（Ｌ４×２））、好ましくはＬ３がＬ４よりも小さい（Ｌ３＜Ｌ４）方がよい。これにより、ガラスパネル４，４間に挟まれて位置する下部フレーム８が僅かであり、間仕切パネル１におけるガラスパネル４の下方に存在する非透光部分が小さく空間的な開放された印象を与えやすくなっている。
【００３３】
以上説明したように、本実施例の移動間仕切装置１０は、移動間仕切装置１０を構成する間仕切パネル１において、下部フレーム８には側面視下向きに開放する開口部８５が形成されており、開口部８５に下部閉塞部材１２と下部進退機構８４とが収納され、すなわち側面視下向き略コ字状の下部フレーム８と、側面視上向き略コ字状の下部閉塞部材１２とが、入れ子状に下部進退機構８４を収納しているため、間仕切パネル１の下部に位置する下部フレーム８と下部閉塞部材１２との占める高さ方向の領域が抑えられるため、間仕切パネル１におけるガラスパネル４の下方における占有面積の割合を増やすことができ、空間的な開放感を十分に演出することができる。
【００３４】
また、間仕切パネル１は、一対のガラスパネル４，４の荷重を一対の縦フレーム７，７と上部フレーム６とで支持しているため、下部フレーム８を小さく構成することができるばかりか、間仕切パネル１におけるガラスパネル４，４の下方における占有面積の割合を増やすことができ、空間的な開放感を十分に演出することができる。
【００３５】
また、一対のガラスパネル４，４は、上部フレーム６および下部フレーム８の前後に重なるような位置まで上下方向に延接していることから、ガラスパネル４，４を大きく見せることができる。
【００３６】
また、縦フレーム７は、板状をなし、一対のガラスパネル４，４間に配置されており、一対のガラスパネル４，４と縦フレーム７とは、上下方向に延びる両面テープ７５，７５により固着されているため、高い支持強度かつ簡単な構造で縦フレーム７と一対のガラスパネル４，４とを一体化できる。
【００３７】
また、縦フレーム７，７において、芯部材７１，７１を鋼製等の剛性の高い素材により構成し、芯部材７１，７１を薄く構成したアルミ合金製の被覆部材７０，７０で被覆することにより、縦フレーム７，７を左右方向の厚みの薄い板状に構成しつつ、芯部材７１，７１により縦フレーム７，７の縦方向の強度を確保できる。
【００３８】
また、上部フレーム６においても、一対の上部芯部材６３，６３を鋼製等の剛性の高い素材により構成し、上部芯部材６３，６３を薄く構成したアルミ合金製の上部フレーム６で被覆することにより、上部フレーム６全体を小さく構成しつつ、上部芯部材６３，６３により上部フレーム６の構造強度を確保できる。下部フレーム８および一対の下部芯部材８３，８３についても同様である。
【００３９】
また、上部フレーム６に一体に取付けられる上部芯部材６３，６３に間仕切パネル１を吊支する吊支部材９，９が接続されることにより、上部芯部材６３，６３を被覆する上部フレーム６に必要な構造強度をより小さくすることができるため、上部フレーム６を薄く構成できる。
【００４０】
このように、枠部材５が上部フレーム６、一対の縦フレーム７，７および下部フレーム８が一体に連結された四方枠形状として構成されることにより、枠部材５の構造強度を確保しながら、間仕切パネル１における枠部材５の大きさを抑えることができる。このように、間仕切パネル１における枠部材５を薄く形成することができるため、ガラスパネル４，４のパネル面の領域が相対的に大きくなり、ガラスパネル４，４のパネル面の領域を広くとることで見栄えが良く、かつ視認性が良くなるので室内空間に開放感を演出することができる。
【００４１】
また、上部フレーム６および下部フレーム８は、上部閉塞部材１１および下部閉塞部材１２と上部進退機構６４および下部進退機構８４を介して連結されていることから、間仕切パネル１の下部の構造を小型化できる。
【実施例２】
【００４２】
実施例２に係る間仕切パネル装置１１０につき、図９を参照して説明する。なお、前記実施例に示される構成部分と同一のものについては、同一符号を付して重複する説明を省略する。
【００４３】
間仕切パネル装置１１０は、複数左右に連接して空間を複数の区画に仕切る固定間仕切パネル１００，１００，…と、その連接方向に直交するレール３に沿って移動可能な間仕切パネル１と、によって主に構成される。固定間仕切パネル１００は、前後方向に対向する一対のガラスパネル１０４，１０４を有し、その上下をアルミ合金等の金属製の押出成形品である上部パネル支持体１０６および下部パネル支持体１０８により、天井面Ｒおよび床面Ｆに対して固定されている。
【００４４】
また、床面Ｆから該下部パネル支持体１０８上端までの高さは、床面Ｆから間仕切パネル１の下部フレーム８上端までの高さと略同一であるため、間仕切パネル１と固定間仕切パネル１００，１００，…とにおいて、ガラスパネル４，１０４の下部の高さが統一され、美観に優れる。
【００４５】
以上、本発明の実施例を図面により説明してきたが、具体的な構成はこれら実施例に限られるものではなく、本発明の要旨を逸脱しない範囲における変更や追加があっても本発明に含まれる。
【００４６】
例えば、前記実施例では、ガラスパネルが前後に２枚設けられる間仕切パネル１について説明したが、これに限られず、間仕切パネルは、ガラスパネルが１枚または３枚以上の複数設けられるものであってもよい。
【００４７】
また、パネル部材としてガラスパネルを利用する形態を例示したが、これに限られず、例えば、パネル部材は、透光性を有さない非透光パネル部材や、光の反射性を有する鏡やミラーガラス等のパネル部材で構成されていてもよく、またこれらの数種類のパネル部材を任意の順番に並べてもよい。
【００４８】
また、枠部材５を構成する一対の縦フレーム７，７に対して一対のガラスパネル４，４がそれぞれ両面テープ７５，７５により固着されて支持されるものについて説明したが、これに限らず、一対のガラスパネル４，４と縦フレーム７，７とを固着する両面テープは、上下方向に分割されていてもよい。また、ガラスパネル４，４は、縦フレーム７，７だけでなく、上部フレーム６に対して両面テープにより固着されていてもよい。さらにまた、上部フレーム６および縦フレーム７，７に対するガラスパネル４，４の固着は、両面テープによるもの限らず、接着剤や粘着剤が使用されてもよい。
【００４９】
また、上部フレーム６に一体に取付けられる上部芯部材６３，６３は、左右に分割されるものに限らず、上部フレーム６の長手方向にわたって一体に構成されていてもよい。下部芯部材８３，８３についても同様に、下部フレーム８の長手方向にわたって一体に構成されていてもよい。
【００５０】
また、上部芯部材６３、下部芯部材８３および芯部材７１は、鋼製のものに限らず、少なくとも上部フレーム６および被覆部材７０を構成する素材（アルミ合金等）よりも剛性の高い素材から構成されていればよい。
【００５１】
また、上部フレーム６、縦フレーム７の被覆部材７０、下部フレーム８、上部パネル支持体１０６および下部パネル支持体１０８は、アルミ合金製またはアルミ合金等の金属製であると説明したが、これに限らず、アルミ合金製以外の金属や木材および合成樹脂等から構成されていてもよい。
【００５２】
また、上部フレーム６は、上部芯部材６３，６３が一体に取付けられていなくてもよく、この場合、縦フレーム７の芯部材７１に吊支部材９が直結される。下部フレーム８についても同様に、下部芯部材８３，８３が一体に取付けられていなくともよい。
【００５３】
また、下部フレーム８は、ネジ１８，１８，１９で縦フレーム７に対して固定されている態様として説明したが、これに限らず、ネジ１８，１８またはネジ１９だけ、あるいは他のネジやボルトナット、磁石、進退動作可能なフック等、縦フレーム７に対して着脱可能に固定されていればよい。
【００５４】
また、上部フレーム６および下部フレーム８は、上部チャンネル部６２および下部チャンネル部８２が、上部閉塞部材１１および下部閉塞部材１２と入れ子状をなすと説明したが、これに限らず上部フレームおよび下部フレームと上部閉塞部材および下部閉塞部材前後とをずらして重なり合わせてもよい。
【００５５】
また、上部閉塞部材１１および下部閉塞部材１２は、それぞれ側面視上向き略コ字状、下向き略コ字状をなすと説明したが、これに限らず、例えば略Ｔ字状や略Ｌ字状等であってもよい。      
【００５６】
また、下部チャンネル部８２の突出部８２ａは、その奥部が下方側に肉厚になるように下方に向けて突出していると説明したが、これに限らず、その奥部が開口部方向に肉厚になるように上方に向けて突出していてもよい。上部チャンネル部６２の突出部６２ａについても、上下対称に同様であってもよい。
【００５７】
また、下部チャンネル部８２は、側面視下向きコ字状をなすと説明したが、これに限らず少なくとも下部閉塞部材１２と下部進退機構８４とを収納するための開口部が形成されていれば、他の形状であってもよい。また、下部チャンネル部８２に形成される開口部８５は側面視凹字状をなすと説明したが、これに限らず、少なくとも下方に開放された開口であればよい。上部チャンネル部６２についても、上下対称に同様であってもよい。
【符号の説明】
【００５８】
１                間仕切パネル
３                レール（誘導路）
４                ガラスパネル（透光パネル部材）
６                上部フレーム
７                縦フレーム（縦杆部材）
８                下部フレーム（下部横杆部材）
９                吊支部材
１０              移動間仕切装置
１２              下部閉塞部材
１８              ネジ
１９              ネジ
８１Ｂ            底面板（延出部）
８４              下部進退機構（進退機構）
８４ａ            捻りコイルバネ
８５              開口部
１００            固定間仕切パネル
１０４            ガラスパネル
１０８            下部パネル支持体
１１０            間仕切パネル装置
Ｒ                天井面
Ｆ                床面
Ｌ１              シール部材１４から凹溝部８１の外垂下板８１Ｃ上端までの高さ
Ｌ２              ガラス４，４間の前後幅Ｌ２
Ｌ３              底面板８１Ｂ上端から外垂下板８１Ｃ上端までの高さ
Ｌ４              ガラスパネル４の前後の厚さ
【図１】
2019218691.tif 000003
【図２】
2019218691.tif 000004
【図３】
2019218691.tif 000005
【図４】
2019218691.tif 000006
【図５】
2019218691.tif 000007
【図６】
2019218691.tif 000008
【図７】
2019218691.tif 000009
【図８】
2019218691.tif 000010
【図９】
2019218691.tif 000011